(57)【特許請求の範囲】
【請求項１】
情報提供者が、システムの指示に従って基本情報として活用される所定の基本データを入力装置を介して入力するための基本データ入力手段と、
前記基本データの項目を情報利用者において予め設定することができる基本データ項目設定手段と、
前記基本データを反映して指示される模範となる回答内容に従って情報提供者が回答を行うことにより、前記基本データに関連する映像及び音声が動画入力装置を介して動画データとして入力される動画データ入力手段と、
前記基本データと前記動画データとを相互に連動した統合データとする編集が行われるデータ編集手段と、
前記基本データと前記動画データとが相互に連動した状態で閲覧可能な統合データとして出力される統合データ出力手段と、
を具備した動画連動式情報の入出力システムであって、
前記動画入力装置は、動画取込用カメラと、所定長さを有する連結部材と、該連結部材をモニタ上に設置するための固定部とを備え、
前記連結部材は、固定部において回動できるように構成され、且つ、該連結部材は中空部を有する部材と棒状部材とから構成され、該棒状部材の上端は部材に設けた中空部の上端を突き抜けて挿通させた構成とし、
前記連結部材は、動画入力時には情報提供者の視線位置に前記動画取込用カメラを移動自在に位置させるとともに、動画入力時以外には表示装置上の表示画面を遮らない位置に前記動画取込用カメラを移動自在に位置させることができるように構成し、
前記統合データ出力手段は、データ編集手段において統合されたデータをフレキシブルディスク、ＭＯ、ＣＤ−ＲＯＭ、ＣＤ−Ｒ、ＣＤ−ＲＷ、ＤＶＤ−Ｒ、ＤＶＤ−ＲＷその他の各種記録媒体の形式に適合するように調整して記録する手段であり、該記録媒体上に記録された統合データを情報利用者が閲覧することにより情報の提供を行い、
前記統合データ出力手段において、出力される複数の情報提供者の前記統合データを、情報利用者が比較検討可能な形式にデータベース化し、
前記データ編集手段において、統合されたデータは、該データに一体的に付属された専用のビューアプログラムによってのみ閲覧可能とした、
ことを特徴とする動画連動式情報の入出力システム。
【請求項２】
情報提供者が、システムの指示に従って基本情報として活用される所定の基本データを入力装置を介して入力するための基本データ入力手段と、
前記基本データの項目を情報利用者において予め設定することができる基本データ項目設定手段と、
前記基本データを反映して指示される模範となる回答内容に従って情報提供者が回答を行うことにより、前記基本データに関連する映像及び音声が動画入力装置を介して動画データとして入力される動画データ入力手段と、
前記基本データと前記動画データとを相互に連動した統合データとする編集が行われるデータ編集手段と、
前記基本データと前記動画データとが相互に連動した状態で閲覧可能な統合データとして出力される統合データ出力手段と、
を具備した動画連動式情報の入出力システムであって、
前記動画入力装置は、動画取込用カメラと、所定長さを有する連結部材と、該連結部材をモニタ上に設置するための固定部とを備え、
前記連結部材は、固定部において回動できるように構成され、且つ、該連結部材は中空部を有する部材と棒状部材とから構成され、該棒状部材の上端は部材に設けた中空部の上端を突き抜けて挿通させた構成とし、
前記連結部材は、動画入力時には情報提供者の視線位置に前記動画取込用カメラを移動自在に位置させるとともに、動画入力時以外には表示装置上の表示画面を遮らない位置に前記動画取込用カメラを移動自在に位置させることができるように構成し、
前記統合データ出力手段は、ＨＴＭＬ文書その他のＷｅｂ上に配信可能なフォーマットに変換して、Ｗｅｂ上にＷｅｂページとして配信する手段、又は電子メールとして送信する手段であり、該Ｗｅｂ上に公開された統合データ又は受信した電子メールを情報利用者が閲覧することにより情報の提供を行い、
前記統合データ出力手段において、出力される複数の情報提供者の前記統合データを、情報利用者が比較検討可能な形式にデータベース化し、
前記データ編集手段において、統合されたデータは、該データに一体的に付属された専用のビューアプログラムによってのみ閲覧可能とした、
ことを特徴とする動画連動式情報の入出力システム。
【請求項３】
情報提供者が、システムの指示に従って基本情報として活用される所定の基本データを入力装置を介して入力するための基本データ入力手段と、
前記基本データの項目を情報利用者において予め設定することができる基本データ項目設定手段と、
前記基本データを反映して指示される模範となる回答内容に従って情報提供者が回答を行うことにより、前記基本データに関連する映像及び音声が動画入力装置を介して動画データとして入力される動画データ入力手段と、
前記基本データと前記動画データとを相互に連動した統合データとする編集が行われるデータ編集手段と、
前記基本データと前記動画データとが相互に連動した状態で閲覧可能な統合データとして出力される統合データ出力手段と、
を具備した動画連動式情報の入出力システムであって、
前記動画入力装置は、動画取込用カメラと、所定長さを有する連結部材と、該連結部材をモニタ上に設置するための固定部とを備え、
前記連結部材は、固定部において回動できるように構成され、且つ、該連結部材は中空部を有する部材と棒状部材とから構成され、該棒状部材の上端は部材に設けた中空部の上端を突き抜けて挿通させた構成とし、
前記連結部材は、動画入力時には情報提供者の視線位置に前記動画取込用カメラを移動自在に位置させるとともに、動画入力時以外には表示装置上の表示画面を遮らない位置に前記動画取込用カメラを移動自在に位置させることができるように構成し、
前記統合データ出力手段は、情報利用者所望の形式で前記基本データ及び前記動画データの一部をイメージデータとしてプリントアウトして紙媒体上のデータとして情報利用者への配布を可能とする手段であり、該紙媒体上にプリントされた統合データを閲覧することにより情報の提供を行い、
前記統合データ出力手段において、出力される複数の情報提供者の前記統合データを、情報利用者が比較検討可能な形式にデータベース化し、
前記データ編集手段において、統合されたデータは、該データに一体的に付属された専用のビューアプログラムによってのみ閲覧可能とした、
ことを特徴とする動画連動式情報の入出力システム。
【請求項４】
動画取込用カメラと、所定長さを有する連結部材と、該連結部材をモニタ上に設置するための固定部とを備え、
前記動画取込用カメラは、マイクが一体的に設けられ、
前記連結部材は、固定部において回動できるように構成され、且つ、該連結部材は中空部を有する部材と棒状部材とから構成され、該棒状部材の上端は部材に設けた中空部の上端を突き抜けて挿通させた構成とし、
前記連結部材は、動画入力時には情報提供者の視線位置に前記動画取込用カメラを移動自在に位置させるとともに、動画入力時以外には表示装置上の表示画面を遮らない位置に前記動画取込用カメラを移動自在に位置させることができるように構成した、
ことを特徴とする請求項１〜３のいずれか１項に記載の動画連動式情報の入出力システムにおいて用いられる動画入力装置。

【発明の詳細な説明】
【０００１】
【発明が属する技術分野】
本発明は、履歴書・名刺・会社案内など個人や会社のアピールに関わる情報その他の統合的なビジュアル情報の提供及び記録を簡易かつ効果的に支援するシステムに関する。
【０００２】
【従来の技術】
従来、就職や転職における求職者の提出する履歴書や、営業において営業先に氏名等を覚えてもらう手段としての名刺や会社案内は、いずれも紙媒体を利用するものであった。
【０００３】
また、会社案内としては、ホームページにおける会社案内等が現在においては行われている。
【０００４】
更に、会社における一日の活動の報告は、報告書や日報等を責任者に提出することにより行われていた。
【０００５】
【発明が解決しようとする課題】
しかし、就職や転職においては、面接を行う前に、いわゆる書類選考を行うのが通常である。この際、提出が要求される書類として履歴書が重要な判断資料となる。
【０００６】
履歴書は、通常ＪＩＳ規格帳票として標準化された帳票設計基準の様式に従ったもの、又はこれに類似するものが多く用いられ、志望先の会社が書式を指定する場合もある。いずれも記載する内容としては、主に、氏名、生年月日、学歴や職歴、特技等、求職者を特定するための記載欄とともに、１枚の写真の添付欄が設けられているが、そのワンスナップと文字情報のみでは、その人となりを十分に理解することは不可能と言える。
【０００７】
更に、送られてくる履歴書等の整理は、多大な手間と労力を要するものであり、その比較は、非常に手間のかかるものである。特に、いわゆる就職難と言われる現代においては、就職希望者、転職希望者の数はきわめて多く、提出される履歴書の数も膨大なものである。
【０００８】
そのため、審査上の配慮をしているにもかかわらず、有用な人材を書類選考で不採用としてしまうおそれがあった。これは、求職者から見れば、有用な能力を備えているにもかかわらず、面接すら受けることができないと言う不合理な対応になる。
【０００９】
また、面接が行われた後においては、最終的な内定を行うまでの間に、面接官における判断資料としては、面接時の面接メモなどが与えられることになるが、ワンスナップと経歴の記載された履歴書が頼りとなることが多い。
【００１０】
そのため、時間の経過により、心証が変わることがあり、適切な人材の採用ができない場合がある。
【００１１】
これは、就職や転職に限らず、大学等の入学試験における面接においても同様である。特に、昨今、いわゆるＡＯ（アドミッションオフィス）入試なる制度が採用されているが、これは、受験者のアピール能力を重視する制度である。
【００１２】
また、同様に、名刺をアピール手段として利用する場合、最近では、名刺上に写真をプリントする場合があるが、１枚の写真でアピールが十分に達成されるには限界がある。会社案内においても、パンフレットと言う形で配付する場合には、文字情報と写真情報とが利用されるが、そのようなアナログ情報の限界もある。
【００１３】
以上の場合において、情報アピール手段として、もっとも有用なのが、文字や映像、音声等を駆使した動画等の統合ビジュアルデータである。
【００１４】
そのため、個人情報や会社情報をアピールする場合、デジタル情報としてＷｅｂ上に掲載し、これに動画をコンテンツとする場合もある。但し、この場合、情報利用者が自らＷｅｂ上に公開したデータに興味を持ち、アクセスしてくれなければ、何らアピールとならないと言う問題がある。
【００１５】
また、紙による情報を電子データ化する際、写真などの静止画、映像や音声を含む動画を連動したビジュアルデータを作成するためには、情報の取り込みと編集に時間とコストを必要とした。特に、Ｗｅｂ上のデータにアクセスしてもらうためには、様々な付加価値を付ける必要があり、更にコストがかかる。そのため、費用対効果の観点から、そうしたデジタルデータをアピールに利用しようとする場合は限られている。
【００１６】
特に就職転職の場合において、求職者がそのようなビジュアルな電子データを用いて自分をアピールするためには、相当のコストとモチベーションが必要であり、やはり費用対効果の観点から、そうしたデータは利用されない。
【００１７】
更に、会社における一日の活動の責任者への報告においても、報告書や日報にへの記載に時間がかかるのみならず、記載した文字情報からのみでは、責任者における適切な評価が十分に行えない。これは、商品やサービスについてプレゼンテーションを行う場合にも同様である。
【００１８】
そこで、本発明は、情報提供者自身で簡易かつ低コストで製作できるものでありがながら、同時に、アピールに関わる情報その他の統合的なビジュアル情報の提供及び記録を可能とするとともに、情報利用者においても、簡易かつ効果的な利用が図ることができるアピール支援システム及びその動画入力装置を提供することを目的とする。
【００１９】
【課題を解決するための手段】
上記の目的を達成するために、請求項１の発明は、情報提供者が、システムの指示に従って基本情報として活用される所定の基本データを入力装置を介して入力するための基本データ入力手段と、前記基本データの項目を情報利用者において予め設定することができる基本データ項目設定手段と、前記基本データを反映して指示される模範となる回答内容に従って情報提供者が回答を行うことにより、前記基本データに関連する映像及び音声が動画入力装置を介して動画データとして入力される動画データ入力手段と、前記基本データと前記動画データとを相互に連動した統合データとする編集が行われるデータ編集手段と、前記基本データと前記動画データとが相互に連動した状態で閲覧可能な統合データとして出力される統合データ出力手段と、を具備した動画連動式情報の入出力システムであって、
前記動画入力装置は、動画取込用カメラと、所定長さを有する連結部材と、該連結部材をモニタ上に設置するための固定部とを備え、前記連結部材は、固定部において回動できるように構成され、且つ、該連結部材は中空部を有する部材と棒状部材とから構成され、該棒状部材の上端は部材に設けた中空部の上端を突き抜けて挿通させた構成とし、前記連結部材は、動画入力時には情報提供者の視線位置に前記動画取込用カメラを移動自在に位置させるとともに、動画入力時以外には表示装置上の表示画面を遮らない位置に前記動画取込用カメラを移動自在に位置させることができるように構成し、前記統合データ出力手段は、データ編集手段において統合されたデータをフレキシブルディスク、ＭＯ、ＣＤ−ＲＯＭ、ＣＤ−Ｒ、ＣＤ−ＲＷ、ＤＶＤ−Ｒ、ＤＶＤ−ＲＷその他の各種記録媒体の形式に適合するように調整して記録する手段であり、該記録媒体上に記録された統合データを情報利用者が閲覧することにより情報の提供を行い、前記統合データ出力手段において、出力される複数の情報提供者の前記統合データを、情報利用者が比較検討可能な形式にデータベース化し、前記データ編集手段において、統合されたデータは、該データに一体的に付属された専用のビューアプログラムによってのみ閲覧可能とした、ことを特徴とする動画連動式情報の入出力システムである。
【００２０】
請求項２の発明は、情報提供者が、システムの指示に従って基本情報として活用される所定の基本データを入力装置を介して入力するための基本データ入力手段と、前記基本データの項目を情報利用者において予め設定することができる基本データ項目設定手段と、前記基本データを反映して指示される模範となる回答内容に従って情報提供者が回答を行うことにより、前記基本データに関連する映像及び音声が動画入力装置を介して動画データとして入力される動画データ入力手段と、前記基本データと前記動画データとを相互に連動した統合データとする編集が行われるデータ編集手段と、前記基本データと前記動画データとが相互に連動した状態で閲覧可能な統合データとして出力される統合データ出力手段と、を具備した動画連動式情報の入出力システムであって、
前記動画入力装置は、動画取込用カメラと、所定長さを有する連結部材と、該連結部材をモニタ上に設置するための固定部とを備え、前記連結部材は、固定部において回動できるように構成され、且つ、該連結部材は中空部を有する部材と棒状部材とから構成され、該棒状部材の上端は部材に設けた中空部の上端を突き抜けて挿通させた構成とし、前記連結部材は、動画入力時には情報提供者の視線位置に前記動画取込用カメラを移動自在に位置させるとともに、動画入力時以外には表示装置上の表示画面を遮らない位置に前記動画取込用カメラを移動自在に位置させることができるように構成し、前記統合データ出力手段は、ＨＴＭＬ文書その他のＷｅｂ上に配信可能なフォーマットに変換して、Ｗｅｂ上にＷｅｂページとして配信する手段、又は電子メールとして送信する手段であり、該Ｗｅｂ上に公開された統合データ又は受信した電子メールを情報利用者が閲覧することにより情報の提供を行い、前記統合データ出力手段において、出力される複数の情報提供者の前記統合データを、情報利用者が比較検討可能な形式にデータベース化し、前記データ編集手段において、統合されたデータは、該データに一体的に付属された専用のビューアプログラムによってのみ閲覧可能とした、ことを特徴とする動画連動式情報の入出力システムである。
【００２１】
請求項３の発明は、情報提供者が、システムの指示に従って基本情報として活用される所定の基本データを入力装置を介して入力するための基本データ入力手段と、前記基本データの項目を情報利用者において予め設定することができる基本データ項目設定手段と、前記基本データを反映して指示される模範となる回答内容に従って情報提供者が回答を行うことにより、前記基本データに関連する映像及び音声が動画入力装置を介して動画データとして入力される動画データ入力手段と、前記基本データと前記動画データとを相互に連動した統合データとする編集が行われるデータ編集手段と、前記基本データと前記動画データとが相互に連動した状態で閲覧可能な統合データとして出力される統合データ出力手段と、を具備した動画連動式情報の入出力システムであって、
前記動画入力装置は、動画取込用カメラと、所定長さを有する連結部材と、該連結部材をモニタ上に設置するための固定部とを備え、前記連結部材は、固定部において回動できるように構成され、且つ、該連結部材は中空部を有する部材と棒状部材とから構成され、該棒状部材の上端は部材に設けた中空部の上端を突き抜けて挿通させた構成とし、前記連結部材は、動画入力時には情報提供者の視線位置に前記動画取込用カメラを移動自在に位置させるとともに、動画入力時以外には表示装置上の表示画面を遮らない位置に前記動画取込用カメラを移動自在に位置させることができるように構成し、前記統合データ出力手段は、情報利用者所望の形式で前記基本データ及び前記動画データの一部をイメージデータとしてプリントアウトして紙媒体上のデータとして情報利用者への配布を可能とする手段であり、該紙媒体上にプリントされた統合データを閲覧することにより情報の提供を行い、前記統合データ出力手段において、出力される複数の情報提供者の前記統合データを、情報利用者が比較検討可能な形式にデータベース化し、前記データ編集手段において、統合されたデータは、該データに一体的に付属された専用のビューアプログラムによってのみ閲覧可能とした、ことを特徴とする動画連動式情報の入出力システムである。
【００２２】
請求項４の発明は、動画取込用カメラと、所定長さを有する連結部材と、該連結部材をモニタ上に設置するための固定部とを備え、前記動画取込用カメラは、マイクが一体的に設けられ、前記連結部材は、固定部において回動できるように構成され、且つ、該連結部材は中空部を有する部材と棒状部材とから構成され、該棒状部材の上端は部材に設けた中空部の上端を突き抜けて挿通させた構成とし、前記連結部材は、動画入力時には情報提供者の視線位置に前記動画取込用カメラを移動自在に位置させるとともに、動画入力時以外には表示装置上の表示画面を遮らない位置に前記動画取込用カメラを移動自在に位置させることができるように構成した、ことを特徴とする請求項１〜３のいずれか１項に記載の動画連動式情報の入出力システムにおいて用いられる動画入力装置である。
【００２７】
【発明の実施の形態】
以下図面に基づいて本発明の実施形態を説明する。
【００２８】
本発明は、上述のように情報提供者自身で簡易かつ低コストで製作できるものでありがながら、同時に、アピールに関わる情報その他の統合的なビジュアル情報の提供及び記録を可能とするとともに、情報利用者においても、簡易かつ効果的な利用が図ることができるアピール支援システム及びその動画入力装置を提供することを目的とするものである。
【００２９】
従って、本発明は、統合的なビジュアル情報の提供及び記録が可能となれば、その情報提供がより円滑に行い得る分野に応用することができる。例えば、就職や転職、大学入試における個人情報のアピールや、営業先における会社や商品のアピールのほか、日常業務としての上司への日報や営業報告の提出などである。また、日記やアルバムとして利用する際にも、簡易かつ効果的なビジュアル情報としての記録が可能となる。
【００３０】
実施例は、本発明を就職や転職の際における個人情報のアピールに利用した電子履歴書システムである。
【００３１】
実施例は、主として就職や転職における求職者による個人情報のアピールと、求人側におけるその情報の利用に関するものである。
【００３２】
本実施例において、アピールに関する情報を提供する情報提供者は求職者である。一方、アピールの対象となる情報利用者は、企業等の求人者並びに公的機関である職業安定所（ハローワーク）や職業紹介所など就職や転職を支援する支援者である。
【００３３】
図１においては、そのシステムを利用する際に使用する装置の概要を示している。
【００３４】
本発明を利用する場合に必要な装置としては、まず、基本データの入力から編集、出力までを行うコンピュータ１が必要となる。このコンピュータ１は、官公庁や求人者である各企業等、転職支援者であるハローワーク等において設置されたものを用いても良く、或は求職者が個人として所有するパーソナルコンピュータを用いても良い。
【００３５】
コンピュータ１は、コンピュータ本体２とモニタ３とからなり、キーボード４及びマウス５を備えている。また、音声ガイダンスを出力するスピーカ６を備え、また、外部記録媒体に出力するために、フレキシブルディスク用の書込可能なディスクドライブ7とＣＤ−Ｒ書込記録装置８とを備え、紙媒体への出力用にプリンタ９を接続している。
【００３６】
ビジュアルデータをネットワーク上で利用可能とするためには、コンピュータネットワークに接続又は接続可能な状態であることが好ましい。
【００３７】
そして、モニタ上には、求職者のアピールする動画を入力するための動画入力装置２１が設置されている。動画入力装置２１の構成としては、カメラ２２が、モニタ３の上部に設置した固定部２５によって設置されている。固定部２５は、コンピュータ側部や下部に設置しても良いが、図１では、モニタ３上部に固定部２５を設け、固定部２５から連結部材２４によりカメラ２２を移動自在に支持している。また、カメラ２２には、求職者のアピール情報を音声として集音するためのマイク２３が一体的に設けられている。
【００３８】
連結部材２４は、図２において二点差線で示したように、固定部２５において回動できるように構成され、カメラ２２が移動自在に位置できる。動画取込時にはカメラ２２がモニタ３の画面上に表示される所定の目線標準ポイント１１の前面に位置できるとともに、動画取込時以外においては、二点差線で示したように、カメラ２２がモニタ３前面を遮らない状態にすることができるように移動自在に構成されている。
【００３９】
図３では、回動方向は、縦方向であるが、横方向に回動できるように構成しても良い。
【００４０】
また、同様の作用をするための構成としては、例えば、連結部材２４を可撓性を有する素材とすることができる。
【００４１】
尚、図２では、連結部材２４は、中空部を有する部材２４ａと棒状部材２４ｂとから構成してある。棒状部材２４ｂは、部材２４ａに設けた中空部を挿通させた構成となっているため、上下位置も調整できるようになっている。そのため、視線位置へのカメラ２２の配置がより適切に行える。
【００４２】
また、上述のようにカメラ２２には、求職者の声を集音するためのマイク２３が一体的に設けられているため、求職者の声をカメラ２２と同様の位置から正面から集音できる。
【００４３】
また、文字入力装置としては、主としてキーボード４であるが、音声テキスト変換ソフトを利用することにより、マイク２３から音声として入力したものを文字情報として変換することもできる。更に、すべてリストから選択可能としてマウス５のみで入力できるようにしても良い。また、この場合、マウス５による選択の代わりとしてタッチパネルによる選択を用いても良い。
【００４４】
また、紙媒体に出力する場合にプリンタ９が必要となる。
【００４５】
本システムは、上述のように、主として官公庁、各企業等の求人者、ハローワーク等就職や転職の支援者に設置されたコンピュータ１を利用して行うことができるほか、各自所有のコンピュータ１を利用して行うことができるが、その場合、本システムを行うプログラムをパッケージ販売又はＷｅｂ上から入手することにより用いることができる。
【００４６】
本システムでの処理は、図３のフローチャートに示すように、大きく分類して、入力ステップ（Ｓ１からＳ８）と編集ステップ（Ｓ９からＳ１０）と出力ステップ（Ｓ１１からＳ２１）に分類できる。
【００４７】
入力ステップは更に、基本データ入力ステップ（Ｓ１からＳ３）と、メインスナップ撮影ステップ（Ｓ４及びＳ５）と、動画データ入力ステップ（Ｓ６からＳ８）とに分類される。
【００４８】
尚、実施例では、動画入力ステップの前にメインスナップを撮影するステップ（Ｓ４及びＳ５）を設けている。メインスナップとは、紙媒体における履歴書においては、添付写真に相当するものであるが、メインスナップ撮影ステップを設けずに、動画入力ステップで撮影された動画の一場面をメインスナップとして利用することもできる。
【００４９】
以下、図４から図１９に本発明を利用した電子履歴書システムの概要を示す。これらの図を利用して、順を追って説明していく。
【００５０】
図４は、電子履歴書システムのメイン画面である。「電子履歴書システム」と言うタイトルが示され、求職者は、タイトル下方の「スタートボタン」をクリックすることにより本システムが開始する。
【００５１】
図５から図８は、基本データ入力画面である（Ｓ１）。ここで入力されたデータは、求職者の履歴情報として活用されるものである。求職者は、画面又は音声の指示に従って、必要な情報を入力する。
【００５２】
尚、情報入力は、通常キーボード４やマウス５を利用するが、ハローワークなどに設置する場合、それらの入力機器を使用したことがない求職者のために、音声をテキストに変換するソフトを利用して、すべて音声で入力ができるようにしたり、タッチパネル方式を利用したりすることで、それらの求職者の利便を図ることができる。
【００５３】
図５から図８は、一般的に経歴を示すに必要とされる項目を入力するものである。図５の画面では、氏名・フリガナ・生年月日・年齢・結婚暦・最終学歴・住所・最寄駅・出身地・電話番号・携帯電話番号・メールアドレスなどの求職者を特定するためのデータ及び経験した業界についての情報を入力する。経験した業界についての入力は、「農・水産」や「建設・建築」等の予め用意されたボタンをクリックすることによる一覧選択式となっているが、入力者の負担軽減のため、各項目は、このような一覧からの選択式としても良く、ドロップダウンリストから選択しても良い。図４では、夫々のボタンをクリックすると、クリックされた業種が一覧の上部にある空白内に入力されるようになっている。もっとも一覧に掲げられた項目は、一般的なものであり、それ以外の業種については、空白に直接書込みができる。
図６は「会社役員・社長」「総務」等の経験職種・「主任」「係長」と言った経験役職・「協調性がある」「リーダーシップがある」等の長所を一般的な項目から選択するとともに、資格・特技・実績等を自由に書き込めるようになっている。
【００５４】
図７は、「ゴルフ」や「テニス」等の趣味、「農・水産」や「建設・建築」等の将来の希望職種・「キャリアアップ」や「生活の向上・安定」といった将来の目標を選択もしくは、書き込めるようになっている。
【００５５】
図８は、求職者におけるモットーと、「学生時代の友人・知人」や「趣味の関係での知人」等大切にしている人脈等を書き込むことができる。
【００５６】
これらの入力が必要な情報は、求人側において予め指定することができるため、求人の際に最も重要視する項目等の設定ができ、項目の追加や変更は、自由に行うことができる。
【００５７】
図５から図８に示した必要項目に入力が終えると、データ確認画面に進む（Ｓ２）。
【００５８】
図９は、図５から図８において入力したデータの確認画面である（Ｓ３）。ここで修正があれば、修正が必要な項目をクリックすると、図５から図８における夫々の入力画面に戻ることができ、必要な上方修正を行うことができる。
【００５９】
以上が基本データ入力画面である。
【００６０】
この際、図示しないが、紙媒体における履歴書の写真に相当するメインスナップ（代表写真）を撮影することができる（Ｓ４及びＳ５）。ここで撮影されたメインスナップは、出力後、メイン画面におけるメインスナップとして用いられ、また、紙媒体のＪＩＳ規格等の履歴書出力時には、写真貼付位置にプリントされる。
【００６１】
続いて、図１０以後は、ステップ動画入力ステップ（Ｓ６）に進む。動画入力メイン画面（図１０）においては、基本データの入力作業の終了と、動画撮影開始を通知する。このとき、動画入力時の一般的な注意を説明する。ここで、「スタート」ボタンをクリックすると、動画入力開始画面（図１１）が表示される。
【００６２】
動画入力開始画面（図１１）では、画面中段中央に、動画入力中に求職者が視点をあわせる標準ポイント１１が示されている。目線標準ポイント１１は、図１１では、円の中に十字を表示することにより表示されている。求職者は、パソコン上部に設置されたカメラアタッチメントの連結部材２４を利用して、カメラを標準の位置に合わせる。
【００６３】
アタッチメントを利用しない場合においても、一般にパソコン上部等に設置されているカメラに向かって視線を合わせることもできるが、アタッチメントを利用してカメラ２２を目線標準ポイント１１の位置に設置することにより、入力中の求職者は、画面上段の模範となる解答を参考にしながら、かつ、視線をほぼ移動することがなく、画面中段中央のカメラ目線で、質問に対する受け答えが可能となる。
【００６４】
そのため、適切な回答ができるとともに、カメラ目線が適切な位置に保たれ、求人側の利用において、求職者の自然な視線でのアピールを閲覧することができる。
【００６５】
画面上段に示されている模範となる解答例は、基本データ入力ステップ（Ｓ１からＳ３）で入力した基本データを反映した内容が示されているため、質問に対する解答を容易かつ円滑に行うことができる。ここで、模範解答例は、画面上段に示すことで、これを参考に解答する求職者は、より自然な視線位置で解答することができる。
【００６６】
そして、標準ポイント１１の下には、入力制限タイムを示すタイム表示部が設けられている。タイム表示部には、所定の質問に対する標準的な回答時間に少し余裕を持たせた時間が表示されている。
【００６７】
中段左側には、「撮影開始」と「撮影終了」を制御するそれぞれのボタンが用意してある。画面中段右側には、案内を行うアニメーションが示されている。このほか、図示しないが、動画入力中の映像のプレビュー画面を設けても良い。
【００６８】
より具体的に説明すると、図１１の画面では、「模範解答を参考に制限時間内に回答してください。」と言う音声メッセージによるガイダンスが流れた後、画面下段には、「お名前と年齢、出身地、現在のお住まいをお聞かせください。」という質問内容が音声ガイダンスとともに示される。これに対応して、画面上段には、入力済みの基本データを反映した回答例が示されている。
【００６９】
ここでは、基本データとして、氏名：山田太郎、年齢：５０歳、出身：大阪市、住所：新宿区が登録されており、模範解答例では、これを反映して、「山田太郎、５０歳、大阪市の出身です。現在新宿区に住んでいます。」と示されている。
【００７０】
求職者は、これを参考に回答する。これにより求職者は、質問内容に対する回答を予め用意する作業を大幅に簡素化できるとともに、画面中央に位置するカメラ２２を目線の標準として合わせたままで的確な回答を行うことができる。
【００７１】
求職者が「撮影開始」ボタンを押すと、撮影が開始され、タイム表示部においては、５秒のカウントダウンが始まる（図１１）。もっともタイム内で早く言い終えた場合には、自ら「撮影停止」ボタンをクリックして撮影を終了しても良い。動画入力が終了すると動画入力終了画面が表示される（図１２）。ここで、求職者は、ここで入力した動画を確認することができる。
【００７２】
この後、次項目移動確認画面が表示され、再度取り直す場合には、「繰り返し」ボタンを押して図１１に戻って動画入力を行う（Ｓ８）。
【００７３】
次の項目について動画入力を進めるには、「次へ進む」ボタンを押して、次の項目、例えば、図１３のように「大切にしている人脈や分野」等の質問に回答する。その他「経歴」や「資格」について質問項目に対する回答という形で、同様に、動画入力を行う（Ｓ７）。
【００７４】
必要な項目すべてについて動画入力が終了して、修正が不要となった段階で、入力ステップは完了する（Ｓ７、Ｓ８）。
【００７５】
次に、本発明のシステムにおいて基本データと動画データとの統合編集が行われ（Ｓ９）、ファイル出力選択画面が表示される（図１４）。ここでは、出来上がった統合データのプレビューを行うことができ、最終的なデータとして確定してよいかを確認できる（Ｓ１０、Ｓ１１）。プレビュー画面表紙は、図１５のようになる。テキストページプレビューは図１６のようになる。
【００７６】
また、出力方法としては、図１４に示すように、主として、外部記録媒体に記録する方法（Ｓ１６からＳ１８）と、ネットワークを利用して求人側に送信する方法（Ｓ１９からＳ２１）と、紙媒体に出力する方法（Ｓ１２からＳ１５）がある。
【００７７】
フレキシブルディスクなど容量の少ない記録媒体に記録する場合に、動画データ等を極めて簡素化してデータサイズを最小限とした「ミニマム出力」、ＣＤ−Ｒ等の大容量記録媒体に出力する場合の「ノーマル出力」、更に画質等にこだわった「ハイクオリティ出力」が可能である（図１４）。
【００７８】
尚、記録媒体としては、求人者の所定の記録媒体とすることができ、たとえば、フレキシブルディスク、ＭＯ、ＣＤ−ＲＯＭ、ＣＤ−Ｒ、ＣＤ−ＲＷ、ＤＶＤ−Ｒ、ＤＶＤ−ＲＷ等が利用できる。
【００７９】
ネットワークを利用する場合、必要があれば、メール送信可能なサイズにファイルをまとめ、又は圧縮して添付ファイルとして求人者や支援者に送信する（Ｓ１９からＳ２１）。
【００８０】
その他、本データをインターネット上において、個人的に、またはそのようなデータを取り扱うサイトにアップデートしてウェブページとして公開しても良い。
【００８１】
また、例えば、ハローワークや求人企業内のデータベースに登録する場合に、求職者は、それらの場所に設置した本システムの装置で統合データを作成して、直接、或は、ネットワークを利用してそのようなデータベースに登録することができる。
【００８２】
いずれの場合においても、ファイルは、主としてＨＴＭＬ文書とすることができる。そして、動画データは、ＤＡＴファイル、ＡＶＩファイルなどＷｅｂ上で標準的な動画保存形式とする。これによって、利用者側においても、インターネット閲覧可能なブラウザと動画を閲覧できる標準的なプラグインソフトがあれば、特に専用のソフトウェアを必要としないからである。
【００８３】
但し、改ざん防止等のセキュリティの観点からは、統合データに専用のビューアプログラムを一体的に付属することにより、当該ビューアプログラムによってのみ情報利用者が閲覧可能として、書換を禁止することもできる。
【００８４】
尚、紙媒体として出力する場合には、基本情報入力ステップにおいてメインスナップとして登録した写真とともに、通常のＪＩＳ規格等の履歴書の形式でプリントアウトすることができる（Ｓ１５）。
【００８５】
そして、統合データを電子データとして受け取った利用者は、ファイルを開くとメイン画面（図１７）が表示され、利用者においても履歴書出力ができるとともに、アピール情報を画面上で閲覧できる。
【００８６】
メイン画面には、電子履歴書のタイトル、氏名、ビジュアルページへのショートカットとテキストページへのショートカット、及びメインスナップ、プリントアウトボタンが表示されている。
【００８７】
メインスナップは、メインスナップ撮影ステップを設けて撮影したスナップでも良いが、動画入力ステップにおいて入力された動画の一部を用いることもできる。
【００８８】
また、図示しないが、プリントアウトボタンをクリックすると、紙媒体へ出力する種種の方法が示される。種種の方法としては、一般的なＪＩＳ規格等の紙履歴書形式で出力する方法や会社の指定する形式、小冊子形式で出力する方法などがある。
【００８９】
メインページで、テキストページへのショートカットをクリックすると図１８のテキストページが表示される。テキストページにおいてもメインスナップを表示しても良い。
【００９０】
一方、メインページからビジュアルページへのショートカットをクリックすると、図１９のビジュアルページが表示される。
【００９１】
ビジュアルページでは、動画再生プラグインが起動し、動画再生が可能になる。また、画面右側には、求人者が知りたい情報にリンクしたショートカットボタンが表示されている。求人者は、各項目をクリックするとそれぞれの項目について求職者のアピールを閲覧することができる。
【００９２】
例えば、図１９は、「長所」のボタンをクリックしてみたものである。動画再生部分では、求職者が自分の長所について述べている映像が再生される。動画再生部分の下方には、その内容について基本情報入力画面（Ｓ１）で入力した内容がテロップとして表示される。ここでは、「協調性があり、リーダーシップがあります。」と表示されている。
【００９３】
また、映像を一連に再生することによって、アピール内容すべてを閲覧できる。
【００９４】
尚、求人側に複数の求職データが送られてきた場合には、すべてのデータを比較検討するのに役立つデータベース機能があり、複数求職者のメインスナップと、氏名・経歴等の基本データを夫々比較検討可能なデータベースとして利用できる。
【００９５】
【発明の効果】
本発明によれば、情報アピール手段として、もっとも有用である文字や写真、映像、音声等を駆使した統合ビジュアルデータを情報提供者自身で簡易かつ低コストで製作できる。
【００９６】
特に、紙情報の電子データ化、情報の取込、編集等に必要とされる時間とコストを大幅に減少できる。
【００９７】
同時に、情報利用者においても、簡易かつ効果的な利用が図ることができる。
【００９８】
例えば、就職や転職、その他いわゆるＡＯ入試を含む大学入試において、従来の履歴書や願書におけるワンスナップと文字情報のみでは、伝えきれなかったその人となりを十分に理解することが可能となり、提出される膨大な経歴情報の整理・比較も容易となり、有用な人材の確保が可能となる。
【００９９】
統合されたビジュアルデータは、例えば、就職や転職の場合であれば、企業等の求人者並びに公的機関である職業安定所（ハローワーク）や職業紹介所など就職や転職を支援する支援者において就職や転職を支援するのに利用価値が高い。
【０１００】
また、本発明によるビジュアルデータの作成においては、必要時にカメラを標準ポイント１１の位置に設置することにより、視線をほぼ移動することがなく、画面中央の自然なカメラ目線で、質問に対する受け答えが可能となる。
【０１０１】
また、これと同時に、動画入力中の情報提供者は、基本情報の反映された模範となる回答例を参考にしながら回答できるため、質問内容に対する回答を予め用意する作業を大幅に簡素化でき、歯切れの良いアピールが可能となる。
【０１０２】
よって、情報利用者においては、スムーズに適切な回答ができるとともに、カメラ目線が適切な位置に保たれ、情報提供者の自然な視線での円滑なアピールを閲覧することができる。
【０１０３】
また、標準的なブラウザを利用でき、閲覧に専用のソフトウェアを必要としない。更に、統合データに専用のビューアプログラムを一体的に付属することにより、当該ビューアプログラムによってのみ情報利用者が閲覧可能として、書換を禁止して、改ざん防止等のセキュリティを図ることもできる。
【０１０４】
また、入力した情報をもとに通常の履歴書等の形式で写真を含めプリントアウトすることができる。
【０１０５】
また、複数のすべてのデータを比較検討するのに役立つデータベース機能があり、複数のメインスナップと、氏名・経歴等の基本データ等を夫々比較検討可能なデータベースとして利用できるため、有用な情報の取捨選択が容易となる。
【図面の簡単な説明】
【図１】この発明の一実施形態に係る電子履歴書システムの概略を示す全体図である。
【図２】この発明の一実施形態に係る電子履歴書システムを示すフロー図である。
【図３】この発明の一実施形態における動画入力装置の使用状態を示す斜視図である。
【図４】この発明の一実施形態における電子履歴書システムを構成する表示画面の一つを示す図である。
【図５】同様に電子履歴書システムを構成する表示画面の一つを示す図である。
【図６】同様に電子履歴書システムを構成する表示画面の一つを示す図である。
【図７】同様に電子履歴書システムを構成する表示画面の一つを示す図である。
【図８】同様に電子履歴書システムを構成する表示画面の一つを示す図である。
【図９】同様に電子履歴書システムを構成する表示画面の一つを示す図である。
【図１０】同様に電子履歴書システムを構成する表示画面の一つを示す図である。
【図１１】同様に電子履歴書システムを構成する表示画面の一つを示す図である。
【図１２】同様に電子履歴書システムを構成する表示画面の一つを示す図である。
【図１３】同様に電子履歴書システムを構成する表示画面の一つを示す図である。
【図１４】同様に電子履歴書システムを構成する表示画面の一つを示す図である。
【図１５】同様に電子履歴書システムを構成する表示画面の一つを示す図である。
【図１６】同様に電子履歴書システムを構成する表示画面の一つを示す図である。
【図１７】同様に電子履歴書システムを構成する表示画面の一つを示す図である。
【図１８】同様に電子履歴書システムを構成する表示画面の一つを示す図である。
【図１９】同様に電子履歴書システムを構成する表示画面の一つを示す図である。
【符号の説明】
１…コンピュータ
２…コンピュータ本体
３…モニタ
４…キーボード
５…マウス
６…スピーカ
７…フレキシブルディスクドライブ
８…ＣＤ−Ｒドライブ
９…プリンタ
１１…目線標準ポイント
２１…動画取込装置
２２…カメラ
２３…マイク
２４…連結部材
２４ａ…中空部を有する部材
２４ｂ…棒状部材
２５…固定部
３０…閲覧用コンピュータ
【図１】
0004247423.tif 000002
【図２】
0004247423.tif 000003
【図３】
0004247423.tif 000004
【図４】
0004247423.tif 000005
【図５】
0004247423.tif 000006
【図６】
0004247423.tif 000007
【図７】
0004247423.tif 000008
【図８】
0004247423.tif 000009
【図９】
0004247423.tif 000010
【図１０】
0004247423.tif 000011
【図１１】
0004247423.tif 000012
【図１２】
0004247423.tif 000013
【図１３】
0004247423.tif 000014
【図１４】
0004247423.tif 000015
【図１５】
0004247423.tif 000016
【図１６】
0004247423.tif 000017
【図１７】
0004247423.tif 000018
【図１８】
0004247423.tif 000019
【図１９】
0004247423.tif 000020